(57)【要約】【課題】簡易な操作でディスクを取扱うことができるディスクプレーヤ用のディスクローディング機構を提供する。【解決手段】ディスクがセットされるターンテーブルと、開口を備え該開口の下方に前記ターンテーブルを含むように形成したディスク載置台とを含むディスクプレーヤ用のディスクローディング機構であって、前記ディスク載置台が降下可能に設定されている。従来のように操作者がディスクを長時間持ってセットするという煩わしさがなくなり、操作性が向上する。また、これにより、ディスクの表面が傷付く機会を大幅に減少させることができる。【選択図】　　　　図２
2004055006.tif 000002
【特許請求の範囲】
【請求項１】
ディスクがセットされるターンテーブルと、開口を備え該開口の下方に前記ターンテーブルを含むように形成したディスク載置台とを含むディスクプレーヤ用のディスクローディング機構であって、
前記ディスク載置台が降下可能に設定されていることを特徴とするディスクローディング機構。
【請求項２】
請求項１に記載のディスクローディング機構において、前記ディスク載置台は、前記ディスクプレーヤ側の動作に連動して前記ターンテーブル位置まで降下すると共に、ディスクプレーヤ側の動作に連動して初期位置まで上昇するように設定されていることを特徴とするディスクローディング機構。
【請求項３】
請求項２に記載のディスクローディング機構において、前記ディスク載置台は、ディスクプレーヤに設けた蓋部の閉動作に連動して前記ターンテーブル位置まで降下し、蓋部の開動作に連動して初期位置まで上昇復帰するように設定されていることを特徴とするディスクローディング機構。
【請求項４】
請求項２又は３に記載のディスクローディング機構において、前記ディスク載置台のディスク接触面に、ディスクが傷付かない程度に柔らかく且つディスク排出時にディスクに接触してブレーキとなる材料を設けたことを特徴とするディスクローディング機構。
【請求項５】
請求項１から４のいずれかに記載のディスクローディング機構において、前記ディスク載置台は、前記ディスクを所定位置に規定するための周縁部を有していることを特徴とするディスクローディング機構。
【請求項６】
上面が開放された筐体と、前記筐体に対して上下動可能に配置されたディスク載置台と、前記ディスク載置台に形成した開口の下方に配置され、ディスクがセットされるターンテーブルと、前記筐体に対して回動自在に取付けられた蓋部とを含むディスクプレーヤであって、
前記ディスク載置台が、前記蓋部の閉動作に連動して前記ターンテーブル位置まで降下し、蓋部の開動作に連動して初期位置まで上昇復帰するように設定されていることを特徴とするディスクプレーヤ。
【請求項７】
請求項６に記載のディスクプレーヤにおいて、前記ディスクから情報を読取り及び／又はディスクに情報を書込むために用いる光学装置が、前記ディスク載置台が降下した位置に配設されていることを特徴とするディスクプレーヤ。
【請求項８】
請求項６又は７に記載のディスクプレーヤにおいて、前記蓋部の内壁には、前記ターンテーブルに対応する位置にプーリが配置され、前記蓋部を閉じたとき前記ターンテーブルと該プーリとで前記ディスクを保持することを特徴とするディスクプレーヤ。
【請求項９】
請求項８に記載のディスクプレーヤにおいて、前記ディスクは前記ターンテーブルと前記プーリとの磁気的結合により回転可能に挟持されることを特徴とするディスクプレーヤ。
【請求項１０】
請求項６に記載のディスクプレーヤにおいて、前記ディスク載置台のディスク接触面に、ディスクが傷付かない程度に柔らかく且つディスク排出時にディスクに接触してブレーキとなる材料を設けたことを特徴とするディスクプレーヤ。
【請求項１１】
請求項６から１０のいずれかに記載のディスクプレーヤにおいて、前記ディスク載置台は、前記ディスクを所定位置に規定するための周縁部を有していることを特徴とするディスクプレーヤ。
【発明の詳細な説明】
【０００１】
【発明の属する技術分野】
本発明はＣＤ−ＲＯＭ、ＣＤ−Ｒ、ＣＤ−ＲＷ、ＤＶＤ−ＲＯＭ等のディスクを用いて情報を記録し、また情報を再生するディスクプレーヤに好適に採用できるディスクローディング技術を開示する。特にディスクが傷付くことを抑制できると共にディスクの取扱いを簡素化できるディスクローディング機構に関する。
【０００２】
【従来の技術】
近年、ＣＤ等のディスクが情報記録媒体として広く普及している。さらにはコンパクト化されたデスクトップ型或いは携帯型のディスクプレーヤも広く利用されている。従来のディスクプレーヤは、例えば図１に示すように、筐体５の内部にターンテーブル６を備えている。ターンテーブル６は図示しないスピンドルモータで回転するようになっており、その上部にはディスク保持用のボールベアリング７を備えたディスク支持部８が設けられている。このディスク支持部８に、ディスク１中央の孔２がセットされる。実際の動作としては、操作者が孔２の位置がディスク支持部８に合うように見当を付けながら、ボールベアリング７に抗してディスク１を押し込でいる。
【０００３】
【発明が解決しようとする課題】
前述したように従来のディスクプレーヤでディスクを扱う場合、操作者はディスク支持部８の位置を想定しながらディスク１を押込む動作を行っている。ここで、ディスク１の孔２とディスク支持部８とに位置のズレが有ると、ディスク１をディスク支持部８上に上手くセットできない。よって、操作者はディスク１の孔２がディスク支持部８と嵌り込む位置を探りながら、ディスク１を押込む動作を繰り返すこととなる。しかし、このようにディスク１の孔２がディスク支持部８と一致する位置を探る動作を行っていると、ディスク１の表面がディスク支持部８等と当たり傷付くことになる。
【０００４】
また、ディスク１の孔２内にボールベアリング７を押込むのには相当な力を要する。さらに、ディスク支持部８が形成されているターンテーブル６が回転してしまう場合には、上記のディスクセッティング作業がより困難なものとなる。よって、特に年少者や老人にはディスクプレーヤにディスク１を確実セットすることが困難となっている。
【０００５】
さらに、従来のディスクプレーヤでは、図１で示すようにディスク１から情報を読出し、或いは記録するための光学装置３が筐体５上に露出して配置されている場合が多い。そのため、上記のようなディスク１のセッティング作業の際に、操作者が光学装置３に誤って触れてしまう事態が発生する。特に、光学装置３のレンズ４に手が触れると、再生、記録のトラブルの原因となる。以上説明したように、従来のディスクプレーヤは多くの問題がある。
【０００６】
したがって、本発明の主な目的は、簡易な操作でディスクを取扱うことができるディスクプレーヤ用のディスクローディング機構、及びこのようなローディング機構を備えた好ましいディスクプレーヤを提供することである。
【０００７】
【課題を解決するための手段】
上記目的は請求項１に記載の如く、ディスクがセットされるターンテーブルと、開口を備え該開口の下方に前記ターンテーブルを含むように形成したディスク載置台とを含むディスクプレーヤ用のディスクローディング機構であって、
前記ディスク載置台が降下可能に設定されているディスクローディング機構により達成される。
【０００８】
請求項１記載の発明によれば、ディスク載置台が降下可能であるので、ディスクが置かれたディスク載置台が降下したときにターンテーブル上にディスクをセットできる。よって、従来のように操作者がディスクを長時間持ってセットするという煩わしさがなくなり、操作性が向上する。また、これにより、ディスクの表面が傷付く機会を大幅に減少させることができる。
【０００９】
また、請求項２に記載のように、請求項１に記載のディスクローディング機構において、前記ディスク載置台は、前記ディスクプレーヤ側の動作に連動して前記ターンテーブル位置まで降下すると共に、ディスクプレーヤ側の動作に連動して初期位置まで上昇するように設定されていることが望ましい。
【００１０】
さらに、請求項３に記載のように、請求項２に記載のディスクローディング機構において、前記ディスク載置台は、ディスクプレーヤに設けた蓋部の閉動作に連動して前記ターンテーブル位置まで降下し、蓋部の開動作に連動して初期位置まで上昇復帰するように設定してもよい。
【００１１】
請求項２及び３に記載の発明によれば、操作者がディスクプレーヤの蓋を開閉する等の動作を行うだけで、意識することなくディスク載置台を簡単に上下動させることができる。よって、デスクトップ型或いは携帯型のディスクプレーヤの蓋部と連動させることでディスク載置台を降下させることができる。本発明はこのように、コンパクトタイプのプレーヤに好適に適用できるものであるが、これに限るものではない。例えばディスクプレーヤがノート型パソコンに収納されているタイプであるような場合には、ディスクプレーヤの筐体がパソコン本体から出入りする動作に連動させてディスク載置台を上下動させるように構成してもよい。
【００１２】
また、請求項４に記載の如く、請求項２又は３に記載のディスクローディング機構において、前記ディスク載置台のディスク接触面に、ディスクが傷付かない程度に柔らかく且つディスク排出時にディスクに接触してブレーキとなる材料を設けることがより好ましい。
【００１３】
請求項４に記載の発明によると、ディスク載置台が初期位置に復帰するときにディスクが回転していてもディスクを損傷することなくディスクを確実に停止できる。よって、操作者がディスクを取扱うときには常に、ディスクが回転していない状態とすることができる。
【００１４】
また、請求項５に記載の如く、請求項１から４のいずれかに記載のディスクローディング機構において、前記ディスク載置台は、前記ディスクを所定位置に規定するための周縁部を有していることが望ましい。
【００１５】
請求項５に記載の発明によると、ディスクの孔がセンタリングされターンテーブル上となるように周縁部が形成され、所定位置が定められる。よって、操作者は容易にディスクを適正位置にセットすることができる。
【００１６】
上記目的は、請求項６に記載の如く、上面が開放された筐体と、前記筐体に対して上下動可能に配置されたディスク載置台と、前記ディスク載置台に形成した開口の下方に配置され、ディスクがセットされるターンテーブルと、前記筐体に対して回動自在に取付けられた蓋部とを含むディスクプレーヤであって、
前記ディスク載置台が、前記蓋部の閉動作に連動して前記ターンテーブル位置まで降下し、蓋部の開動作に連動して初期位置まで上昇復帰するように設定されているディスクプレーヤによっても達成される。
【００１７】
請求項６記載の発明によれば、ディスク載置台が降下可能であるので、従来のように操作者がディスクを長時間持ってセットするという煩わしさがなく、操作性が向上したディスクプレーヤとして提供できる。また、このようなディスクプレーヤはディスクの表面が傷付くことを確実に抑制できる。
【００１８】
また、請求項７に記載のように請求項６に記載のディスクプレーヤにおいて、前記ディスクから情報を読取り及び／又はディスクに情報を書込むために用いる光学装置が、前記ディスク載置台が降下した位置に配設されていることがより好ましい。
【００１９】
請求項７に記載の発明では、光学装置がディスク載置台よりも下に存在するので、ディスク交換等の際に操作者が光学装置に触れることが無くなる。よって、ディスクプレーヤの機能が低下することを確実に抑制できる。
【００２０】
また、請求項８に記載のように、請求項６又は７に記載のディスクプレーヤにおいて、前記蓋部の内壁には、前記ターンテーブルに対応する位置にプーリが配置され、前記蓋部を閉じたとき前記ターンテーブルと該プーリとで前記ディスクを保持する構成を採用できる。
【００２１】
また、請求項９に記載のように請求項８に記載のディスクプレーヤにおいて、前記ディスクは前記ターンテーブルと前記プーリとの磁気的結合により回転可能に挟持されるようにしてもよい。
【００２２】
請求項８及び９に記載の発明によれば、ターンテーブル上にディスクを確実に保持しながら回転させることができる。
【００２３】
また、請求項１０に記載のように、請求項６に記載のディスクプレーヤにおいて、前記ディスク載置台のディスク接触面に、ディスクが傷付かない程度に柔らかく且つディスク排出時にディスクに接触してブレーキとなる材料を設けることがより好ましい。
【００２４】
請求項１０に記載の発明によると、操作者がディスクを取扱うときには常に、ディスクが回転していない状態となるのでより好ましいディスクプレーヤとなる。
【００２５】
また、請求項１１に請求項６から１０のいずれかに記載のディスクプレーヤにおいて、前記ディスク載置台は、前記ディスクを所定位置に規定するための周縁部を有していることがより好ましい。
【００２６】
請求項１１に記載の発明によると、操作者がディスクを容易にセンタリングしてセットすることができる好ましいディスクプレーヤとなる。
【００２７】
【発明の実施の形態】
以下、図面に基づいて本発明をさらに詳細に説明する。まず、図２に基づいて本発明の好ましい形態を概説する。図２はディスクプレーヤのディスクローディング機構を模式的に示した図である。（Ａ）はディスク１が載置されたディスク載置台１０が初期位置にある状態を示し、（Ｂ）ではディスク載置台１０が初期位置から下降し位置にある場合を示している。
【００２８】
図２（Ａ）、（Ｂ）で示すように、本発明のディスク載置台１０は矢印Ｙで示すように降下可能に設計されている。ディスク載置台１０を降下させるための機構例は後述の実施例で説明する。（Ａ）で示すのは、操作者がディスク１をセッティング或いは取出すときの状態である。例えばディスクプレーヤの蓋部が開かれたときに、この状態となっている。（Ａ）の初期状態にあるときには、ディスク１を回転させるターンテーブル１２及びこの上に形成したディスク保持部１８は、ディスク載置台１０より下に位置している。さらに、ディスク１から情報を読出し、或いは記録するための光学装置１３も、ディスク載置台１０より下に配置されている。
【００２９】
また、ディスク載置台１０の中部には開口１１が形成されている。上記ターンテーブル１２はこの開口１１の内部に収まる様に配置されている。よって、ディスク載置台１０が降下しても、ディスク載置台１０とターンテーブル１２とが干渉することがない。ディスク載置台１０が降下すること、図１（Ｂ）で示す様にターンテーブル１２上にディスク１が載置された状態を形成できる。
【００３０】
なお、参照符号１９で示すのはディスク１に上から接するプーリである。このプーリ１９は例えばディスクプレーヤ蓋部の内側等に配設される。
【００３１】
上記構成でディスクプレーヤ蓋部の閉動作に連動してディスク載置台１０が降下し、蓋部の開動作に連動してディスク載置台１０が初期位置に上昇（復帰）するように設計しておけば、ターンテーブル１２上にディスク１を載せることができる。さらに、本発明の好ましい形態として、ディスク載置台１０に位置合わせ用の周縁部１０ＳＵＲが設けられる。この周縁部１０ＳＵＲによりディスク１の開口２の位置をセンタリングして、プーリ１９の位置に対応させることができる。また、ディスク保持部１８にテーパ部ＴＡＰを形成すると、ディスク保持部１８上にディスク１をより正確にセッティングできる。また、ディスク保持部１８及びプーリ１９の一方を磁化材料で形成し、他方をＮｉ、Ｆｅ、Ｃｏ系の磁性金属等で形成することで、磁力を利用してディスク１を確実に挟持することができる。
【００３２】
さらに、図２（Ｂ）に示したように、ディスク１が接するディスク載置台１０の面に、ディスクが傷付かない程度に柔らかく且つディスク排出時にディスクに接触してブレーキとなる材料（クッション材）を設けることが望ましい。このようなクッション材を用いると、図２（Ｂ）の状態から図２（Ａ）の状態に復帰するときに、ディスク１の回転を確実に止めることができる。よって、操作者がディスク１に触れようとするときには、ディスク１が必ず停止している状態を形成できる。
【００３３】
以上のように本発明の好ましい実施形態によると、操作者はディスクを単にディスク載置台１０上に置くという単純な動作のみで完了する。よって、従来のディスクプレーヤのように操作者がディスクを手で保持しながら位置合わせ等の作業をすることが必要なくなる。よって、年少者や高齢者でも簡単にディスクをセッティングできる。また、ディスク表面が傷付くような事態を確実に抑制できる。
【００３４】
［実施例］
さらに以下においては、上記のような構成を備えるローディング機構をデスクトップ型のディスクプレーヤに適用した実施例を図に基づいて説明する。なお、図２で示した部位に相当する部分については、同一の符号を付している。
【００３５】
図３はディスクプレーヤの全体を示す斜視図である。（Ａ）は同プレーヤの蓋部３０が開いた状態、（Ｂ）は同プレーヤの蓋部３０が閉じた状態を示している。（Ａ）では、ディスク載置台１０の内部にディスク１が載置された状態を示している。このディスク載置台１０は、ディスクプレーヤの筐体２０に対し降下できる設定となっている。この点をより詳細に説明すると、蓋部３０にリンク板３１が回動自在に接続されている。このリンク板３１は、ディスク載置台１０に形成した長孔１７を介して、筐体２０の側部まで延びている。筐体２０の側部には、ここでは図示されないカム板が配置されており、このカム板にリンク板３１の他端が接続されている。そして、蓋部３０を閉じると、リンク板３１が長孔１７内に入り込み、このカム板を移動させることでディスク載置台１０を降下させるようになっている。この降下機構について、図４以降の図を参照して詳細に説明する。
【００３６】
図４は、上記リンク板３１とカム板の関係が確認できるようにディスクプレーヤの側部構成を示した図であり、（Ａ）は蓋部３０が開いた状態、（Ｂ）は蓋部３０が閉じた状態を示している。同図で確認できるように、カム板２４は長板形状を成しており筐体２０の側部に沿うように配置されている。このカム板２４には長穴２６が形成され、この長穴２６にはリンク板３１の他端３２が移動自在に嵌合されている。よって、蓋部３０が（Ｂ）で示すように閉じられると、リンク板３１がカム板２４を矢印Ｆの方向（図で右方向）に移動させる。
【００３７】
カム板２４は、前後に前方に向け傾斜したカム部２５ＦＲ、２５ＢＫを備えている。また、筐体２には側壁に沿って立設するリブ２１ＦＲ、２１ＢＫが、又、ディスク載置台１０にはリブ２１ＦＲ、２１ＢＫを受入れる案内溝２２ＦＲ、２２ＢＫが形成されている。本実施例のディスク載置台１０の降下機構は、これらにより実現されている。
【００３８】
ディスク載置台１０の下降機構を確認し易いように、ディスクプレーヤ内を展開して示したのが図５である。図５は筐体２０内部空間及びディスク載置台１０の底面が見えるように示している。また、図５では、カム板２４の形状も明確に示されている。なお、ディスク載置台１０を下降させる機構は、左右対称に設けられているが、同様である。よって、図５の矢印Ｘ方向で見て右側にある機構についてのみ示している。また、参照符号１６で示されるディスク載置台１０に形成される切欠き１６は、光学装置３が移動する範囲に形成されている。この切欠き１６を設けることにより光学装置３と干渉することなく、ディスク載置台１０を降下させることができる。
【００３９】
さらに、この図５を参照しながら、図６から図８を用いて筐体２０に対してディスク載置台１０が上下動する状態を説明する。図６は、特にカム板２４を除いて筐体２０とディスク載置台１０とを合わせた状態を示した図である。筐体２０の各々リブ２１ＦＲ、２１ＢＫの位置が、ディスク載置台１０の案内溝２２ＦＲ、２２ＢＫと対応するので、（Ａ）から（Ｃ）に示すように、筐体２０内にディスク載置台１０が収まるように下降できる。なお、図６ではリブ２１と案内溝２２との状態が確認し易いように、リブ２１ＦＲと案内溝２２ＦＲとの部分の円Ｓ内を拡大した図を示している。以下の図７、８についても同様である。
【００４０】
図７は、特に筐体２０側を除いてディスク載置台１０の案内溝２２と移動するカム板２４との関係を示した図である。前述したように、カム板２４はリンク板３１の他端３２により、右側に押される。これに伴い、カム部２５ＦＲ、２５ＢＫが移動するので、最初隠れていた案内溝２２ＦＲ、２２ＢＫがカム部２５ＦＲ、２５ＢＫと徐々に重るようになり、最後は（Ｃ）で示すように、案内溝２２ＦＲ，２２ＢＫの全てが現れる状態が形成される。
【００４１】
図６及び図７を重ねて示すと、図８のようになる。すなわち、カム板２４の移動に伴って、案内溝２２ＦＲ，２２ＢＫに、カム部２５ＦＲ、２５ＢＫの部分が順次露出してくる。案内溝２２ＦＲ，２２ＢＫの下には、リブ２１ＦＲ、２１ＢＫが位置しているので、リブ２１ＦＲ、２１ＢＫが順次案内溝２２ＦＲ，２２ＢＫに滑り込む状態が形成される。よって、カム板２４の移動に伴って筐体２０に対してディスク載置台１０が降下する。
【００４２】
先に述べたように、カム板２４は蓋部３０の開閉に伴い移動するリンク板３１により移動するので、結局、蓋部３０の開閉によりディスク載置台１０が降下する機構が実現されている。
【００４３】
図９は、ディスク１をディスク載置台１０上に載置した実施例のディスクプレーヤの側部構成を示した図である。（Ａ）は蓋部３０が開いた状態、（Ｂ）は蓋部３０が閉じた状態を示している。同図で確認できるように、（Ａ）の状態から（Ｂ）の状態になると、ディスク載置台１０が降下する。これによりターンテーブル１２の相対位置が上昇するので、ディスク載置台１０の上面より突出した状態となりディスク保持部１８でディスク１を保持できる。また、蓋部３０が完全に閉じられえたときには、ディスク保持部１８とプーリ１９との磁気的な結合力によりディスク１を確実に挟持できる。
【００４４】
ディスク１を取出す際は、蓋部３０を開くことにより、（Ｂ）から（Ａ）への逆の動作が実行される。ディスク載置台１０が初期位置に復帰するときに、ディスク１に面接触するので、ディスク載置台１０側の表面をラバー材等で形成しておくことでディスク１を押上げる際に回転を停止させることができる。
【００４５】
以上のように、本発明のローディング機構は本体に蓋部を有するデスクトップ型或いは携帯型のディスクプレーヤのローディング機構として好適に採用できる。しかし、これに限らず、ノート型パソコンに収納されるディスクプレーヤ等の場合には筐体がパソコン本体から引出されたときを蓋部の開状態、筐体をパソコン本体に押込むときを蓋部の閉状態と置き換えることで同様の効果が得られることは容易に理解できる。
【００４６】
以上本発明の好ましい実施例について詳述したが、本発明は係る特定の実施形態に限定されるものではなく、特許請求の範囲に記載された本発明の要旨の範囲内において、種々の変形・変更が可能である。
【００４７】
【発明の効果】
以上詳述したところから明らかなように、本発明によれば、ディスク載置台が降下可能であるので、ディスクが置かれたディスク載置台が降下したときにターンテーブル上にディスクをセットできる。よって、従来のように操作者がディスクを長時間持ってセットするという煩わしさがなくなり、操作性が向上する。また、これにより、ディスクの表面が傷付く機会を大幅に減少させることもできる。
【図面の簡単な説明】
【図１】従来のディスクプレーヤの概要構成を示した図である。
【図２】好ましい実施形態のディスクローディング機構を模式的に示した図である。
【図３】実施例のディスクプレーヤの全体を示す斜視図である。
【図４】実施例のディスクプレーヤのリンク板とカム板の関係が確認できるようにディスクプレーヤの側部構成を示した図である。
【図５】実施例のディスクプレーヤの筐体内部空間及びディスク載置台の底面が見えるように示した図である。
【図６】カム板を除いて筐体とディスク載置台とを合わせた状態を示した図である。
【図７】筐体側を除いてディスク載置台の案内溝と移動するカム板との関係を示した図である。
【図８】図６及び図７を重ねて合わせて示した図である。
【図９】ディスクをディスク載置台上に載置した実施例のディスクプレーヤの側部構成を示した図である。
【符号の説明】
１　　　　　　　　ディスク
２　　　　　　　　孔
１０　　　　　　　ディスク載置台
１０　　　　　　　周縁部
１１　　　　　　　開口
１２　　　　　　　ターンテーブル
１３　　　　　　　光学装置
１８　　　　　　　ディスク保持部
１９　　　　　　　プーリ
２０　　　　　　　筐体
３０　　　　　　　蓋部
【図１】
2004055006.tif 000003
【図２】
2004055006.tif 000004
【図３】
2004055006.tif 000005
【図４】
2004055006.tif 000006
【図５】
2004055006.tif 000007
【図６】
2004055006.tif 000008
【図７】
2004055006.tif 000009
【図８】
2004055006.tif 000010
【図９】
2004055006.tif 000011